(57)【要約】モデムカードは、コンピュータと通信システムとの間の通信を提供するように構成される。モデムカードは、電子回路を保持するケース（４２）を含む。コーナー（６２）は、ケース（４２）の上側に沿って延びる。アンテナ本体（４４）は、アンテナ本体（４４）の第１の部分（５２）および第２の部分（５４）がケースのコーナー（６２）の周りに曲がるようにケースに接続される。アンテナ（３７）は、アンテナがケースのコーナーの周りに曲がるようにアンテナ本体に位置を決められる。アンテナは、ケース内の電子回路と電気的に通信する。アンテナ本体（４４）は、オプションで、ケース（４２）に対して可動であるように構成され得る。一実施形態において、アンテナ本体（４４）は、ヒンジにおいてケース（４２）に取り付けられ、アンテナ本体（４４）はヒンジ（７０）の周りに回転可能である。
2010522489.tif 000002
【特許請求の範囲】
【請求項１】
電子回路を保持するケースであって、該ケースは、該ケースの上部に沿って延びるコーナーを有する、ケースと、
該ケースに接続されたアンテナ本体であって、該アンテナ本体は、該アンテナ本体が該ケースの該コーナーの周りに曲がる第１の位置にある、アンテナ本体と、
該電子回路と電気的に通信するアンテナであって、該アンテナは、該アンテナが該ケースの該コーナーの周りに曲がるように該アンテナ本体に位置を決められる、アンテナと
を備えている、モデムカード。
【請求項２】
前記アンテナ本体は、Ｌ形状を有する断面を有する、請求項１に記載のカード。
【請求項３】
前記アンテナ本体は第２の部分と結合した第１の部分を含み、該第１の部分の表面は該アンテナ本体のコーナーにおいて該第２の部分の表面と接する、請求項１に記載のカード。
【請求項４】
前記アンテナは、前記第１の部分から前記第２の部分の中に１回以上進む、請求項３に記載のカード。
【請求項５】
前記アンテナは、前記第１の部分から前記第２の部分の中に複数回進む、請求項３に記載のカード。
【請求項６】
前記ケースの前記コーナーは該ケースの第１の辺を該ケースの第２の辺に接続し、前記アンテナ本体の前記第１の部分は該ケースの該第１の辺に隣接し、該アンテナ本体の前記第２の部分は該ケースの該第２の辺に隣接している、請求項３に記載のカード。
【請求項７】
前記ケースの前記第１の辺は該ケースの該第１の辺に対して角度θに存在し、該角度θは９０°未満である、請求項６に記載のカード。
【請求項８】
前記角度θは８８°未満である、請求項７に記載のカード。
【請求項９】
前記アンテナ本体は、前記第１の位置から１つ以上の他の位置に動かされるように構成される、請求項１に記載のカード。
【請求項１０】
ヒンジは、前記アンテナ本体が前記第１の位置から離れるように前記１つ以上の他の位置に回転され得るように、該アンテナ本体を前記ケースに接続する、請求項７に記載のカード。
【請求項１１】
前記アンテナは、ワイヤである、請求項１に記載のカード。
【請求項１２】
前記アンテナは、柔軟性ある回路上の金属トレースである、請求項１に記載のカード。
【請求項１３】
前記ケースの前記コーナーは、丸みのあるコーナーである、請求項１に記載のカード。
【請求項１４】
前記ケースの前記コーナーは、斜角をつけられたコーナーである、請求項１に記載のカード。
【請求項１５】
コンピュータと連結するように構成されたコネクタをさらに備え、前記アンテナ本体は、該コネクタが該コンピュータに連結されているとき、該アンテナ本体が該コンピュータから最も遠い前記モデムカードの部分であるように、該モデムカードに接続される、請求項１に記載のカード。
【請求項１６】
コンピュータのポートに位置を決められるモデムカードを備えているコンピュータシステムであって、該モデムカードは、
電子回路を保持するケースであって、該ケースは、該ケースの上部に沿って延びるコーナーを有する、ケースと、
該ケースに接続されたアンテナ本体であって、該アンテナ本体は、該アンテナ本体が該ケースの該コーナーの周りに曲がる第１の位置にある、アンテナ本体と、
該電子回路と電気的に通信するアンテナであって、該アンテナは、該アンテナが該ケースの該コーナーの周りに曲がるように該アンテナ本体に位置を決められる、アンテナと
を含む、コンピュータシステム。
【請求項１７】
前記モデムカードの一部分は、前記アンテナ本体が前記ケースよりも前記コンピュータから遠くにあるように、該コンピュータから延びる、請求項１６に記載のシステム。
【請求項１８】
前記アンテナ本体は、Ｌ形状の断面を有する、請求項１６に記載のシステム。
【請求項１９】
前記ケースの前記コーナーは、該ケースの第１の辺を該ケースの第２の辺に接続し、
前記アンテナ本体は、第２の部分と結合した第１の部分を含み、該第１の部分の表面は該アンテナ本体のコーナーにおいて該第２の部分の表面と接し、該アンテナ本体の該第１の部分は該ケースの該第１の辺に隣接し、該アンテナ本体の該第２の部分は該ケースの前記第２の辺に隣接している、請求項１６に記載のシステム。
【請求項２０】
前記ケースの前記第１の辺は該ケースの該第１の辺に対して角度θに存在し、該角度θは９０°未満である、請求項１９に記載のシステム。
【発明の詳細な説明】
【技術分野】
【０００１】
（発明の分野）
本発明は、コンピュータ周辺デバイスに関し、より詳細にはモデムカードに関する。
【背景技術】
【０００２】
（背景）
モデムカードは、コンピュータが通信システムと無線で通信することを可能にする。これらのカードは、通信システムに信号を送信し、かつ／または通信システムから信号を受信する１次アンテナを用いる。これらのカードのサイズの制限は、設計標準と共に、１次アンテナの性能を最適化する能力にネガティブに影響を与え得る。さらに、１つ以上の２次アンテナを用いるモデムカードが現れた。２次アンテナの例は、ダイバーシティアンテナ、全地球測位システム（ＧＰＳ）アンテナ、ブルートゥース（登録商標）アンテナ、およびＷＩ−ＦＩ（登録商標）アンテナを含むが、これらに限定されない。モデムカード上のこれらの２次アンテナの存在は、モデムカードにおいて１次アンテナの性能を最適化することに関係する困難をさらに強め得る。その結果、改良された１次アンテナ配置を有するモデムカードのニーズがある。
【発明の概要】
【課題を解決するための手段】
【０００３】
（概要）
モデムカードは、コンピュータに取り外し可能に接続されるように構成され、コンピュータと通信システムとの間の通信を提供する。モデムカードは、電子回路を保持するケースを含む。コーナーは、ケースの辺に沿って延びる。アンテナ本体は、アンテナ本体がケースのコーナーの周りに曲がるようにケースに接続される。アンテナは、ケースにおける電子回路と電気的に通信する。アンテナは、アンテナがケースのコーナーの周りに曲がるようにアンテナ本体に位置を決められる。
【図面の簡単な説明】
【０００４】
【図１】図１は、通信システムに無線信号を送信するように構成されたコンピュータシステムを例示する。コンピュータシステムは、コンピュータがモデムカード内の電子回路に電力を供給するように、コンピュータに接続されたモデムカードを含む。
【図２Ａ】図２Ａ〜図２Ｆは、図１に関連して開示されるように構築されたモデムカードとしての使用に適したモデムカードを例示する。図２Ａは、モデムカードの斜視図である。モデムカードは、ケースに接続されたアンテナ本体を含む。
【図２Ｂ】図２Ａ〜図２Ｆは、図１に関連して開示されるように構築されたモデムカードとしての使用に適したモデムカードを例示する。図２Ｂは、図２ＡにおいてＢとラベルづけされた線に沿って取られた、図２Ａに示されるモデムカードの断面である。
【図２Ｃ】図２Ａ〜図２Ｆは、図１に関連して開示されるように構築されたモデムカードとしての使用に適したモデムカードを例示する。図２Ｃは、図２Ａに示されるモデムカードの別の斜視図である。
【図２Ｄ】図２Ａ〜図２Ｆは、図１に関連して開示されるように構築されたモデムカードとしての使用に適したモデムカードを例示する。図２Ｄは、アンテナ本体がモデムカードから取り外され、アンテナ本体の下のケースの部分を示す、図２Ｃの斜視図である。
【図２Ｅ】図２Ａ〜図２Ｆは、図１に関連して開示されるように構築されたモデムカードとしての使用に適したモデムカードを例示する。図２Ｅは、図２ＥにおいてＡとラベルづけされた矢印によって例示されるように、ケースに対して、図２Ａ〜図２Ｄに例示される第１の位置から別の位置に動かされた、図２Ａのアンテナ本体を例示する。
【図２Ｆ】図２Ａ〜図２Ｆは、図１に関連して開示されるように構築されたモデムカードとしての使用に適したモデムカードを例示する。図２Ｆは、コンピュータのポートの中に挿入された、図２Ａ〜図２Ｅのモデムカードを例示する。
【図３Ａ】図３Ａは、モデムカードのケースが透明であるように処理され、ケースの中身がケースの外から見えるモデムカードの斜視図である。
【図３Ｂ】図３Ｂは、コンピュータのポートに位置を決められた、図３Ａに示されるモデムカードの断面である。
【図４】図４は、モデムカードの別の実施形態の断面である。
【図５Ａ】図５Ａは、ケースのコーナーが丸みのあるコーナーであり、アンテナ本体の内側コーナーが丸みのあるコーナーであるモデムカードの断面である。
【図５Ｂ】図５Ｂは、ケースのコーナー、アンテナ本体の内側コーナー、およびアンテナ本体の外側コーナーが各々丸みのあるコーナーであるモデムカードの断面である。
【図５Ｃ】図５Ｃは、ケースのコーナー、アンテナ本体の内側コーナー、およびアンテナ本体の外側コーナーが各々斜角をつけられたコーナーであるモデムカードの断面である。
【図６Ａ】図６Ａ〜図６Ｅは、１次アンテナおよびアンテナ本体のための適切な構造を例示する。図６Ａは、１次アンテナとして働き得る金属トレースを含む柔軟性のある回路の上面図である。
【図６Ｂ】図６Ａ〜図６Ｅは、１次アンテナおよびアンテナ本体のための適切な構造を例示する。図６Ｂは、図６Ａに示される柔軟性のある回路を含むアンテナ本体の断面である。
【図６Ｃ】図６Ａ〜図６Ｅは、１次アンテナおよびアンテナ本体のための適切な構造を例示する。図６Ｃは、図６Ｂのアンテナ本体と共に使用するための導体を示す。
【図６Ｄ】図６Ａ〜図６Ｅは、１次アンテナおよびアンテナ本体のための適切な構造を例示する。図６Ｄは、図６Ａの柔軟性のある回路における開口部を通って延びる図６Ｃの導体を例示する。
【図６Ｅ】図６Ａ〜図６Ｅは、１次アンテナおよびアンテナ本体のための適切な構造を例示する。図６Ｅは、図６Ｄにおいて破線に沿って取られた、図６Ｄに示される柔軟性のある回路の断面である。
【図７Ａ】図７Ａ〜図７Ｇは、図６Ａ〜図６Ｅに従って組み立てられたアンテナ本体と共に使用するのに適したヒンジ構造を例示する。図７Ａおよび図７Ｂは、モデムカードから分離されたアンテナ本体を例示する。図７Ａは、アンテナ本体の側面図である。
【図７Ｂ】図７Ａ〜図７Ｇは、図６Ａ〜図６Ｅに従って組み立てられたアンテナ本体と共に使用するのに適したヒンジ構造を例示する。図７Ａおよび図７Ｂは、モデムカードから分離されたアンテナ本体を例示する。図７Ｂは、図７ＡにおいてＢとラベルづけされた矢印の方向で見て取られた、図７Ａに示されるアンテナ本体の側面図である。
【図７Ｃ】図７Ａ〜図７Ｇは、図６Ａ〜図６Ｅに従って組み立てられたアンテナ本体と共に使用するのに適したヒンジ構造を例示する。図７Ｃは、図７Ａおよび図７Ｂに例示されるアンテナ本体と共に使用するのに適したピンの側面図である。ピンは、モデムカードにおける回路基板と図６Ｃ〜図６Ｅの導体との間に電気的通信を提供するように構成される。
【図７Ｄ】図７Ａ〜図７Ｇは、図６Ａ〜図６Ｅに従って組み立てられたアンテナ本体と共に使用するのに適したヒンジ構造を例示する。図７Ｄは、図７ＣにおいてＤとラベルづけされた矢印の方向で見て取られた、図７Ｃのピンの側面図である。
【図７Ｅ】図７Ａ〜図７Ｇは、図６Ａ〜図６Ｅに従って組み立てられたアンテナ本体と共に使用するのに適したヒンジ構造を例示する。図７Ｅは、アンテナ本体が通常位置を定められるが、アンテナ本体がモデムカード上の正しい位置にない場合のモデムカードの一部分の側面図である。モデムカードの例示された部分は、図７Ａ〜図７Ｄのアンテナ本体と共に使用するのに適している。アンテナサポートは、モデムカードから延びる。
【図７Ｆ】図７Ａ〜図７Ｇは、図６Ａ〜図６Ｅに従って組み立てられたアンテナ本体と共に使用するのに適したヒンジ構造を例示する。図７Ｆは、図７ＥにおいてＦとラベルづけされた矢印の方向で見て取られた、図７Ｅに示されるアンテナサポートの側面図である。
【図７Ｇ】図７Ａ〜図７Ｇは、図６Ａ〜図６Ｅに従って組み立てられたアンテナ本体と共に使用するのに適したヒンジ構造を例示する。図７Ｇは、モデムカードのケースに対してアンテナ本体の回転および平行移動を可能にするヒンジを形成するように組み立てられた、図６Ａ〜図７Ｆの構成要素を示す断面である。
【発明を実施するための形態】
【０００５】
（詳細な説明）
モデムカードは、コンピュータと通信システムとの間の無線通信を提供する。モデムカードは、ケースの２つの辺を接続するコーナーを有するケースを含む。アンテナ本体は、アンテナ本体がケースのコーナーの周りに曲がるようにケースに接続される。アンテナは、アンテナもケースの周りに曲がるようにアンテナ本体に位置を決められる。ケースのコーナーの周りにアンテナを曲げることは、モデムカードの寸法を実質的に変更することなく、モデムカードにおけるアンテナと別の構成要素との間の距離を増加させ得る。例えば、ケースのコーナーの周りにアンテナを曲げることは、モデムカードにおけるアンテナと２次アンテナとの間の間隔を増加させ得、かつ／または、モデムカードにおけるアンテナと回路基板との間の距離を増加させ得る。さらに、カードがコンピュータに接続されているとき、コーナーの周りにアンテナを曲げることは、アンテナとコンピュータとの間の距離を増加させると共に、種々のアンテナ極性を提供して、ラップトップによって出されるノイズの影響を最小にし得る。コンピュータは、高無線周波数（ＲＦ）干渉の発生源である。結果として、ケースのコーナーの周りにアンテナを曲げることは、アンテナの性能を最適化する機会を提供する。
【０００６】
図１は、無線通信システム１４の基地局１２と無線通信するコンピュータシステム１０を例示する。コンピュータシステム１０は、コンピュータ１８と通信するモデムカード１６を含む。モデムカード１６は、コンピュータ１８が無線エアリンクを介して無線通信システム１４と無線通信することを可能にする。適切な無線通信システム１４の例は、符号分割多重接続（ＣＤＭＡ）ベースのネットワークを含むが、これに限定されない。適切なコンピュータ１８は、ラップトップコンピュータおよびノートブックコンピュータを含むが、モデムカード１６を用いてゲームシステムおよびオフィス機器などの無線通信システムと通信する他のコンピュータ１８もまた含み得る。適切なモデムカード１６は、無線モデム能力を有するＰｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ（ＰＣＭＣＩＡカードまたはＰＣカード）と、無線モデム能力を有するＥｘｐｒｅｓｓ  Ｃａｒｄと、無線モデム能力を有するＭｉｎｉａｔｕｒｅ  Ｃａｒｄ（Ｍｉｎｉ  Ｃａｒｄ）と、無線モデム能力を有するＥｘｐｒｅｓｓ  Ｍｉｎｉ  ＣａｒｄまたはＭｉｎｉ  Ｅｘｐｒｅｓｓ  Ｃａｒｄとを含むが、これらに限定されない。
【０００７】
モデムカード１６は、モデムカード１６がコンピュータ１８のコネクタ２２に取り外し可能に接続されることを可能にするコネクタ２０を含む。例えば、ＰＣカードは、典型的には６８コンタクトのデュアルロウピンおよびソケットコネクタを用いる一方、Ｅｘｐｒｅｓｓ  Ｃａｒｄは、典型的にはブレードコネクタ上での２６コンタクトのビームを用いる。コンピュータ１８は、モデムカード１６の一部分を受容するように構成されるポートまたはスロットを含み得る。概して、コンピュータ１８は、モデムカード１６の一部分を受容するように構成されるポートまたはスロットを含み、その結果、モデムカード１６の別の部分がコンピュータ１８の外部に延びる。コネクタ２２は、モデムカード１６のコネクタ２０がコンピュータ１８のコネクタ２２に接続されるように位置を決められ得る。
【０００８】
コンピュータ１８は、コネクタ２０を介してモデムカード１６の電子回路３２に電力を供給する電源２４を含む。例えば、モデムカード１６は、典型的には約５Ｖまたは３．３Ｖで動作する。一部の例において、電源２４は、約５Ｖまたは約３．３Ｖでモデムカード１６に電力を供給する。
【０００９】
電子回路３２は、電圧計３５と通信するプロセッサ３４を含む。プロセッサ３４は、モデムカード１６に供給されている電力の電圧を監視し、計測し、かつ／または決定する電圧計を用い得る。適切なプロセッサ３４は、汎用プロセッサと、デジタル信号プロセッサ（ＤＳＰ）と、特定用途向け集積回路（ＡＳＩＣ）と、フィールドプログラム可能なゲートアレイ（ＦＰＧＡ）または他のプログラム可能な論理回路と、離散的ゲートまたはトランジスタ論理、離散的ハードウェア構成要素、あるいは電子回路３２および／またはプロセッサ３４に属する機能を実行するように設計された、これらのものの任意の組合せを含むが、これらに限定されない。汎用プロセッサは、マイクロプロセッサであり得る。代替として、プロセッサは、任意の従来のプロセッサ、コントローラ、マイクロコントローラ、またはステートマシンであり得る。プロセッサ３４はまた、例えばＤＳＰと、マイクロプロセッサ、複数のマイクロプロセッサ、ＤＳＰコアと結合した１つ以上のマイクロプロセッサ、または任意の他のそのような構成との組合せなどの計算デバイスの組合せとしてインプリメントされ得る。
【００１０】
電子回路３２は、１次アンテナ３７と通信する。例えば、電子回路３２は、１次アンテナ３７と通信するトランシーバ３６を含む。プロセッサ３４は、トランシーバ３６と通信する。プロセッサ３４は、トランシーバ３６を用い、通信システム１４に信号を無線で送信し、通信システム１４から信号を無線で受信し得る。トランシーバ３６の代替として、電子回路３２は、受信器および送信器と通信し得る。あるいは、トランシーバ３６は、送信器であり得、電子回路はアンテナを用い、通信システム１４に信号を送信し得る。あるいは、トランシーバ３６は、受信器であり得、電子回路は、アンテナを用い、通信システム１４から信号を受信し得る。
【００１１】
１次アンテナ３７は、無線周波数（ＲＦ）において共振するように構成され得、従ってＲＦ信号を送信しかつ／または受信するＲＦアンテナであり得る。適切な１次アンテナ３７は、モノポールアンテナまたはダイポールアンテナを含むが、これらに限定されない。
【００１２】
電子回路３２は、オプションで１つ以上の２次アンテナ３８を含み得る。電子回路は、例示された通信システムと通信するか、または例示されていない他の通信システムと通信するために２次アンテナ３８を用い得る。２次アンテナ３８の例は、ダイバーシティアンテナ、全地球測位システム（ＧＰＳ）アンテナ、ブルートゥース（登録商標）アンテナ、およびＷＩ−ＦＩ（登録商標）アンテナを含むが、これらに限定されない。図１は、２次トランシーバ３９と通信する２次アンテナ３８を含むモデムカードを例示する。２次トランシーバ３９は、２次アンテナ３８と通信する。プロセッサ３４は、２次トランシーバ３９と通信する。一部の例において、プロセッサ３４は、通信システム１４または別の通信システムに信号を無線で送信し、かつ／または通信システム１４または別の通信システムから信号を無線で受信するために、２次トランシーバ３９および２次アンテナ３８を用いる。２次トランシーバ３９の代替として、プロセッサ３２および２次アンテナ３８は、受信器および送信器と通信し得る。あるいは、２次トランシーバ３９は送信器であり得、電子回路は信号を送信するために、送信器および２次アンテナ３８を用い得る。あるいは、２次トランシーバ３６は受信器であり得、電子回路は信号を受信するために、受信器および２次アンテナ３８を用い得る。
【００１３】
電子回路３２は、プロセッサ３４と通信するメモリ４０を含む。電子回路３２は、通信システム１４と通信するデータをメモリ４０に格納し得る。例えば、最大送信出力は、メモリ４０に格納され得る。メモリ４０は、読み取り／書き込み動作に適した任意のメモリデバイスまたはメモリデバイスの組み合わせであり得る。
【００１４】
一部の例において、電子回路３２は、プロセッサ３４と通信するコンピュータ読取り可能媒体４１を含む。コンピュータ読取り可能媒体４１は、プロセッサ３４によって実行される一組の命令を有し得る。プロセッサ３４は、電子回路３２がユーザによって発信された、パケットデータサービスに対する要求を実行するなどの所望の機能を実行するように、命令を実行し得る。コンピュータ読取り可能媒体４１がメモリと異なるように示されているが、コンピュータ読取り可能媒体４１はメモリ４０と同じであり得る。適切なコンピュータ読取り可能媒体３８は、ＣＤなどの光ディスク、磁気記憶装置ディスケット、Ｚｉｐディスク、磁気テープ、ＲＡＭ、およびＲＯＭなどを含むが、これらに限定されない。
【００１５】
図２Ａ〜図２Ｃは、図１に関連して開示されるように構築されたモデムカードとしての使用に適したモデムカードを例示する。図２Ａは、モデムカードの斜視図である。モデムカードは、ケース４２に接続されたアンテナ本体４４を含む。図２Ｂは、図２ＡにおいてＢとラベルづけされた線に沿って取られた、図２Ａに示されるモデムカードの断面である。図２Ｃは、モデムカードの別の斜視図である。図２Ｄは、アンテナ本体４４がモデムカードから取り外され、アンテナ本体４４の下のケース４２の部分を示す、図２Ｃに示される斜視図である。
【００１６】
ケース４２は、電子回路を保持するように構成される。コーナー４６は、ケース４２の第１の辺をケース４２の第２の辺に接続する。例えば、図２Ｄは、ケース４２の上部４８をケース４２の側部５０に接続するコーナー４６を示す。
【００１７】
アンテナ本体４４は、第１の部分５２と、第２の部分５４とを含む。アンテナ本体４４は、第１の部分５２の表面を第２の部分５４の表面に接続する少なくとも１つのコーナーを含む。例えば、図２Ａ〜図２Ｄは、第１の部分５２の内側表面５８を第２の部分５４の内側表面６０に接続する内側コーナー５６を含むアンテナ本体４４を例示する。さらにアンテナ本体４４は、第１の部分５２の外側表面６４を第２の部分５４の外側表面６６に接続する外側コーナー６２を含む。アンテナ本体４４は、ケース４２のコーナー４６の周りに曲がる。例えば、ケース４２の第１の部分５２は、ケース４２の上部４８に隣接して位置を決められる一方、第２の部分５４は、ケース４２の側部５０に隣接して位置を決められる。
【００１８】
図２Ｃは、アンテナ本体４４を透明として処理する。図２Ｃは、アンテナ本体４４に位置を決められる１次アンテナ３７を示す。１次アンテナ３７の第１の部分は、アンテナ本体４４の第１の部分５２に位置を決められ、１次アンテナ３７の第２の部分は、アンテナ本体４４の第２の部分５４に位置を決められる。従って、１次アンテナ３７は、ケース４２のコーナー４６の周りに曲がる。例えば、１次アンテナ３７の第１の位置は、ケース４２の上部４８の上に位置を決められ、１次アンテナ３７の第２の位置は、ケース４２の側部５０の上に位置を決められる。
【００１９】
図２Ｃは、１次アンテナ３７の第１の部分とアンテナの第２の部分との間を複数回通過する１次アンテナ３７を示す。しかしながら、図２Ｃに示されるアンテナ本体４４における１次アンテナ３７の配置は、例示的目的のためのみであり、アンテナ本体４４における１次アンテナ３７のための様々な他の配置が可能である。従って、１次アンテナ３７は、アンテナ本体４４の第１の部分からアンテナ本体４４の第２の部分に１回通過し得る。
【００２０】
アンテナ本体４４は、オプションでケース４２に対して可動であるように構成され得る。図２Ａ〜図２Ｄは、第１の位置におけるアンテナ本体４４を示す。アンテナ本体４４は、１つ以上の他の位置に動かされ得る。例えば、アンテナ本体４４は、ヒンジにおいてケース４２に取り付けられ得る。アンテナ本体４４は、図２Ｅに示されるようにヒンジ７０の周りに回転され得る。図２Ｅは、ケース４２に対して第１の位置から別の位置に動かされた、図２Ａのアンテナ本体４４を例示する。アンテナ本体４４は、Ａとラベルづけされた矢印によって例示されるように、図２Ｅに示される位置の他の位置に動かされ得る。ヒンジの周りの回転の他にまたはヒンジの周りの回転の代替として、アンテナ本体はケースに対して平行移動され得る。例えば、アンテナ本体は、図２ＥにおいてＢとラベルづけされた矢印によって例示されるように、ケースから離れるように平行移動され得る。アンテナ本体の平行移動は、１次アンテナとケースとの間の距離をさらに増加させることを可能にする。
【００２１】
図２Ｆは、モデムカードのコネクタ（図示されていない）がポートにおけるコネクタ（図示されていない）に接続されるように、コンピュータのポート７２の中に挿入された、図２Ａ〜図２Ｅのモデムカードを例示する。モデムカードの一部分はコンピュータの外に位置を決められる。さらに、アンテナ本体４４は、コンピュータの外側に位置を決められる。アンテナ本体４４は、図２ＦにおいてＡとラベルづけされた矢印によって例示されるように、モデムカードのケース４２に対して動かされ得る。ケース４２に対するアンテナ本体４４の移動は、モデムカードのユーザが入力信号に対して１次アンテナ３７の位置を最適化することを可能にする。
【００２２】
１次アンテナ３７が第１の位置にあるとき、１次アンテナ３７と、モデムカードにおける他の電子回路と、コンピュータとの間の距離が、最適化され得る。例えば、図３Ａは、モデムカードにおける電子回路の典型的な配置を例示する。図３Ａはモデムカードの斜視図であり、この図においてモデムカードのケース４２が透明であるように処理されているので、ケース４２の中身がケース４２の外側から見える。ケース４２は、図１に関連して開示される電子回路を保持する。電子回路の全てまたは一部分は、プリント回路基板（ＰＣＢ）またはプリント配線板（ＰＷＢ）などの回路基板７４に位置を決められる。適切な回路基板は、１次アンテナのための接地平面として働くように構成される金属を含む。一例において、回路基板は、いくつかの異なる材料の層から組み立てられ、該層の少なくとも１つは１次アンテナのための接地平面として働く銅層である。回路基板７４の電子回路の回路網の詳細は、図示されていない。コネクタ２０および２次アンテナ３８は、回路基板７４に位置を決められる。
【００２３】
図３Ｂは、コンピュータのポートに位置を決められた、図３Ａに示されるモデムカードの断面である。２次アンテナ３８の少なくとも一部分がコンピュータの外に位置を決められる。図３Ｂは、２次アンテナ３８およびコンピュータに対するアンテナ本体４４の位置を示す。ケース４２のコーナー４６の周りにアンテナ本体４４を曲げることは、１次アンテナ３７とコンピュータシステムの構成要素との間の距離を最適化することを可能にする。例えば、アンテナ本体４４の第１の部分５２およびアンテナ本体４４の第２の部分の寸法は、１次アンテナ３７とコンピュータシステムの異なる特徴との間の変位を改善するように変更され得る。例えば、Ａとラベルづけされた矢印によって示されるように、アンテナ本体４４の第１の部分５２の幅を減少させると共に、アンテナ本体４４の第２の部分５４の幅を増加させることは、１次アンテナ３７の長さを減少させる必要なく、コンピュータからより離れるように１次アンテナ３７を動かす。しかしながら、増加の程度は、回路基板７４における２次アンテナ３８および／または接地平面の接近によって制限され得る。例えば、１次アンテナ３７が回路基板７４および／または２次アンテナ３８のより近くに動くと、１次アンテナ３７の性能は減少し得る。従って、アンテナ本体４４の寸法は、１次アンテナ３７とコンピュータシステムの構成要素との間の所望の間隔を達成するように選択される。
【００２４】
モデムカードの形状は、１次アンテナ３７とコンピュータシステムの構成要素との間の距離をさらに増すために変更され得る。例えば、ケース４２の第１の辺の長さおよびケース４２の第２の辺の長さは増加させられ得る。例えば、ケース４２のコーナー４６は、図４においてＡとラベルづけされた矢印によって示される方向に動かされ得る。図４に示されるように、第１の長さおよび第２の長さを増加させることは、結果として、アンテナ本体４４がコンピュータから最も遠いモデムカードの一部分であり得、従って、アンテナ本体４４とコンピュータシステムの構成要素との間の距離を増加させ得る。第１の辺および第２の辺の長さを増加させることは、これらの増加に起因するモデムカードのサイズの増加を最小限にするためにケース４２の他の辺の寸法を増加させることなく、達成され得る。その結果、ケース４２の第１の辺の外部は、第２の辺の外部に対して９０度未満の角度であり得る。例えば、図４は、第２の辺の外部に対して角度θで位置を決められる第１の辺の外部を例示する。角度θは、９０°未満であり得る。例えば、角度θは、８９．８°または８９．５°以下であり得る。図４から明らかなように、アンテナ本体４４の第１の部分５２は、アンテナ本体４４の第２の部分５４に対して９０°未満であり得る。例えば、第１の部分５２の内部もまた、第２の部分５４に対して角度θであり得る。
【００２５】
ケースのコーナー４６は、直角にされるかまたは丸くされ得る。例えば、図２Ｂは、直角にされた、ケース４２のコーナー４６を例示する。対照的に、図５Ａは、丸くされたケース４２のコーナー４６を例示する。アンテナ本体４４の内側コーナー５６は、ケース４２のコーナー４６の形状に相補的である形状を有し得る。例えば、アンテナ本体４４の内側コーナー５６は、図５Ａに示されるようにケース４２のコーナー４６の形状に調和した丸みのある形状を有し得る。さらにまたは代わりに、アンテナ本体４４の外側コーナー６２は、図５Ｂに例示されるように丸くされ得る。ケース４２のコーナー４６および／もしくはアンテナ本体４４の内側コーナー５６、ならびに／またはアンテナ本体の外側コーナー６２は、斜角をつけられたコーナーであり得る。例えば、ケース４２のコーナー４６および／もしくはアンテナ本体４４の内側コーナー５６、ならびに／またはアンテナ本体の外側コーナー６２は、１つ以上の表面を含み得る。例として、図５Ｃは、ケース４２のコーナー４６、アンテナ本体４４の内側コーナー５６およびアンテナ本体４４の外側コーナー６２の各々が複数の表面を有していることを示す。
【００２６】
図６Ａ〜図６Ｅは、１次アンテナおよびアンテナ本体のための適切な構造を例示する。１次アンテナは、柔軟性のある回路に含まれ得る。例えば、１次アンテナは、柔軟性のある回路基板（ＦＣＢ）、柔軟性のあるプリント回路（ＦＰＣ）、または柔軟性のあるプリント回路基板（ＦＰＣＢ）上の金属トレースであり得る。図６Ａは、１次アンテナとして働き得る金属トレース７８を含む柔軟性のある回路７６の上面図である。金属トレース７８は、パッド８０で終了する。開口部８２は、パッド８０が開口部８２に隣接して位置を決められかつ／または開口部を囲むように、柔軟性のある回路７６を通って延びる。柔軟性のある回路７６は、図６Ａに示される破線に沿って曲げられ得る。一例において、金属トレース７８は銅トレースであり、柔軟性ある基板はマイラーである。
【００２７】
図６Ｂは、図６Ａに示される柔軟性のある回路７６を含むアンテナ本体４４の断面である。柔軟性のある回路７６は、アンテナ本体４４の内部に位置を決められ、アンテナ本体４４の内部のコーナーの周りに曲がる。一部の例において、アンテナ本体４４は、複数の部品から構築される。例えば、アンテナ本体４４は、内部部材８４および外部部材８６から構築され得る。
【００２８】
図６Ｃは、アンテナ本体４４と共に使用するための導体８７を示す。胴体８７は、本体９０に接続されたフランジ８８を含む。開口部９１は、導体８７の本体９０の中に延びる。本体９０の外側は、図６Ｄおよび図６Ｅに示されるように、柔軟性ある回路７６における開口部８２を通って延びるように構成される。図６Ｄは、導体８７の本体９０が開口部８２を通って延びる、図６Ａに示される柔軟性ある回路７６の上面図である。図６Ｅは、図６Ｄにおける破線に沿って取られた、図６Ｄに示される柔軟性ある回路７６の断面である。金属トレースは、図６Ｅに示されていない。導体８７の本体９０は、フランジ８８が柔軟性ある回路７６上のパッド８０に接触するように開口部８２に位置を決められる。フランジ８８は、パッド８０に溶接され得、パッド８０とフランジ８８との電気的な通信を達成しかつ／または保持し得る。下記に明らかになるように、導体８７は、１次アンテナとモデムカードにおける電子回路との間の電気的通信を提供するために用いられ得る。従って、導体８７は、電気的導体材料から組み立てられ得る。
【００２９】
図７Ａ〜図７Ｇは、図６Ａ〜図６Ｄに従って構築されたアンテナ本体４４と共に使用することに適したヒンジ構造を例示する。図７Ａ〜図７Ｇに例示されるヒンジは、ケース４２に対するアンテナ本体４４の平行移動に加えて、ケース４２に対するアンテナ本体４４の回転を達成することに適している。
【００３０】
図７Ａおよび図７Ｂは、モデムカードから分離されたアンテナ本体４４を例示する。図７Ａは、アンテナ本体４４の側面図である。例えば、図７Ａは、アンテナ本体４４の第２の部分５４がページの中に延びている、アンテナ本体４４の第１の部分５２の側面図である。図７Ｂは、図７ＡにおいてＢとラベルづけされた矢印の方向から見て取られた、図７Ａに示されるアンテナ本体４４の側面図である。従って、アンテナ本体４４の第２の部分５４は、図７Ｂにおいて見える。第１のアンテナサポート９２は、アンテナ本体４４から延びる。第２のアンテナサポートは、アンテナ本体４４に対して固定される。開口部９６は、第１のアンテナサポート９２を通って延びる。開口部９６は、図６Ｃ〜図６Ｅの導体８７の本体９０の少なくとも一部分を受容するように構成される。下記に明らかになるように、第１のアンテナサポート９２における開口部９６は、アンテナ本体４４の開口部と整列され得る。下記に明らかになるように、図６Ｄおよび図６Ｅの導体８７の本体９０は、アンテナ本体４４における開口部を通って第１のアンテナサポート９２における開口部９６の中に延び得る。その結果、導体の本体９０は、第１のアンテナサポート９２における開口部９６において見られ得る。
【００３１】
図７Ｃは、モデムカードにおける回路基板と、図６Ｃ〜図６Ｅの導体８７との間の電気的通信を提供するように構成されるピン９８の側面図である。図７Ｄは、図７ＣにおいてＤとラベルづけされた矢印の方向で見て取られた、ピン９８の側面図である。ピン９８は、接触領域１０４と、共通領域１０２に接続された第２の接触領域１０６とを含む。下記に明らかになるように、ピン９８は、第１のアンテナサポート９２における開口部９６の中に延び、接触領域１０４が導体８７の本体９０の内部側と接触している状態で、導体の本体９０における開口部９１に受容されるように構成される。例えば、ピン９８の接触領域１０４は、図７Ｂにおいて明らかである導体の本体９０における開口部９１に受容されるように構成される。ピン９８はモデムカードにおける構成要素間の電気的伝導を提供するために用いられるので、ピン９８は好ましくは電気的伝導性の材料から組み立てられる。
【００３２】
図７Ｅは、アンテナ本体４４が通常位置を定められるが、アンテナ本体４４がモデムカード上の正しい位置にない場合のモデムカードの一部分の側面図である。第２のアンテナサポートはケース４２から延びる。第２のアンテナサポートは、ケース４２に対して固定される。図７Ｆは、図７ＥにおいてＦとラベルづけされた矢印の方向で見て取られた、図７Ｅに示される第２のアンテナサポートの側面図である。開口部１１０は、第２のアンテナサポートの中に延びる。第２のアンテナサポートにおける開口部は、第１のアンテナサポート９２の少なくとも一部分を受容するように構成される。
【００３３】
図７Ｇは、ケース４２に対するアンテナ平行移動と共に、ケース４２に対するアンテナの回転を可能にするヒンジを形成するようにアセンブリされた、図６Ａ〜図７Ｆの構成要素を示す断面である。柔軟性のある回路７６は、アンテナ本体４４の内部に位置を決められ、導体８７は柔軟性のある回路７６における開口部８２を通って延びる。導体８７は、アンテナ本体４４の内部から第１のアンテナサポート９２における開口部９６の中に延びる。ピン９８は導体８７の内部に受容され、接触領域１０４は導体８７の内側と接触する。ピン９８は、第２のアンテナサポートにおける開口部１１０を通って延び、モデムカードのケース４２に位置を決められる回路基板上の接点と接触する。例えば、ピン９８上の第２の接触領域１０６は、回路基板上のスプリング接点１１４と接触し得る。回路基板上の接点１１４は、回路基板上の電子回路と電気的に通信し得る。従って、回路基板上の電子回路と１次アンテナとの間の電気的通信は、回路基板上の接点と、ピン９８と、導体８７とを通って伝わり得る。
【００３４】
図７Ｇからも明らかなように、第１のアンテナサポート９２は、第２のアンテナサポートにおける開口部１１０に受容される。第１のアンテナサポート９２は、第２のアンテナサポートにおいて回転させられ得、アンテナ本体がケースに対して回転させられることを可能にし得る。さらにまたは代わりに、第１のアンテナサポート９２は、Ｔとラベルづけされた矢印によって示されるように、第２のアンテナサポートにおいて上下に動かされ得る。第２のアンテナサポートにおける第１のアンテナサポート９２の上下の動きは、ケースに対するアンテナ本体の平行移動を可能にする。第１のアンテナサポートが第２のアンテナサポートから引き抜かれるのを防ぐために、アンテナサポートを先細にすることおよび／またはフランジの使用を含む多数の技術が用いられ得る。例えば、第１のアンテナサポートおよび第２のアンテナサポートは、はめ込み式構造で提供され得る。ヒンジが第１のアンテナサポートおよび第２のアンテナサポートと共にのみ示されるが、さらなる平行移動距離は、第１のアンテナサポートと第２のアンテナサポートとの間にさらなるアンテナサポートを使用することによって達成され得る。アンテナサポートは、はめ込み式配置によって提供され得る。
【００３５】
ケース４２に対するアンテナ本体４４の平行移動および回転は、１次アンテナと回路基板上の電子回路と間の電気的通信を中断させない。例えば、ピンは接点１１４に対して固定され得る。その結果、アンテナ本体の回転は、ピン９８の周りに導体８７の回転を引き起こすが、ピン９８上の接触領域と導体８７の内部との電気的接触を切断しない。さらに、ケース４２の方へまたはケース４２から離れるような導体８７の限定された平行移動は、ピン９８の接触領域１０４と導体８７の内部との電気的接触を切断しない。その結果、ケース４２に対するアンテナ本体４４の平行移動および回転は、ピン９８上の接触領域１０４と導体８７の内部との間の電気的接触を切断しない。
【００３６】
第１のアンテナサポート９２とアンテナ本体４４との間のアタッチメントの詳細は例示されていないが、しかしながら、従来のアタッチメント技術が用いられ得、かつ／または第１のアンテナサポート９２はアンテナ本体４４と一体化され得る。さらに、第２のアンテナサポートとケース４２との間のアタッチメントの詳細は例示されていないが、しかしながら、従来のアタッチメント技術が用いられ得、かつ／または第１のアンテナサポート９２はケース４２と一体化され得る。
【００３７】
アンテナ本体はケースに対して可動であるとして上記に開示されているが、アンテナ本体はアンテナ本体がケースに対して固定されるようにケースの中に組み込まれ得る。
【００３８】
本発明の他の実施形態および修正は、これらの教示を考慮して当業者に容易に思いつく。上記の説明は、例示であり、限定するものではない。本発明は、以下の特許請求の範囲によってのみ限定され、該特許請求の範囲は、上記の明細書および添付の図面に関連して考察されるとき、そのような実施形態および修正のすべてを含む。従って、本発明の範囲は、上記の説明を参照して決定されるべきではなく、そうではなくて、添付の請求項およびその全範囲の均等物を参照して決定されるべきである。
【図１】
2010522489.tif 000003
【図２Ａ】
2010522489.tif 000004
【図２Ｂ】
2010522489.tif 000005
【図２Ｃ】
2010522489.tif 000006
【図２Ｄ】
2010522489.tif 000007
【図２Ｅ】
2010522489.tif 000008
【図２Ｆ】
2010522489.tif 000009
【図３Ａ】
2010522489.tif 000010
【図３Ｂ】
2010522489.tif 000011
【図４】
2010522489.tif 000012
【図５Ａ】
2010522489.tif 000013
【図５Ｂ】
2010522489.tif 000014
【図５Ｃ】
2010522489.tif 000015
【図６Ａ】
2010522489.tif 000016
【図６Ｂ】
2010522489.tif 000017
【図６Ｃ】
2010522489.tif 000018
【図６Ｄ】
2010522489.tif 000019
【図６Ｅ】
2010522489.tif 000020
【図７Ａ】
2010522489.tif 000021
【図７Ｂ】
2010522489.tif 000022
【図７Ｃ】
2010522489.tif 000023
【図７Ｄ】
2010522489.tif 000024
【図７Ｅ】
2010522489.tif 000025
【図７Ｆ】
2010522489.tif 000026
【図７Ｇ】
2010522489.tif 000027
【国際調査報告】
2010522489.tif 000028
2010522489.tif 000029